(57)【要約】【課題】除湿器単体または複数の除湿器をひとまとめにして流通、販売するときの包装形態や購入者が押入れなどにおいて使用しているときなどにおいて、水抜き孔を塞ぐ閉鎖蓋が不用意に傷付いたり、破損しないように包装、保護し得るように改良された容器包装体を提供する。【解決手段】容器開口部３が透湿非透水性シート４によって塞がれ、該シート４の一部に潮解液Ｗを捨てる水抜き孔１３を設けるとともに、該水抜き孔１３が閉鎖シート１４によって塞がれている除湿器Ａの容器開口部３に蓋体６を備え、この蓋体６は、容器開口部３を覆う天板部６ａ、天板部６ａに連設されて容器周壁１ｂを覆う両側板部６ｂを備え、さらに、天板部６ａと両側板部６ｂとを連設する折り目線１７の一部に、容器開口部３の開口両短辺縁部３ｃに掛止させる掛止部１６を備えるとともに水抜き孔１３の開口部位を除く天板部６ａに通気口８を備えている。【選択図】図１
2010274985.tif 000002
【特許請求の範囲】
【請求項１】
容器開口部がシート材によって塞がれ、該シート材の一部に潮解液を捨てる水抜き孔を設けるとともに、該水抜き孔が閉鎖シートによって塞がれている除湿器であって、
前記シート材によって塞がれている前記容器開口部に蓋体を備えてなり、
前記蓋体は、前記容器開口部を覆う天板部と、
この天板部から折り目線を介して連設されて容器周壁を覆う両側板部と、を備え、
前記天板部と前記両側板部とを連設する前記折り目線の一部に、前記容器開口部の開口縁部に掛止させる掛止部をそれぞれ備えるとともに、前記水抜き孔の開口部位を除く前記天板部に、通気口または通気口用の開口切断線をそれぞれ備えていることを特徴とする除湿器。
【請求項２】
容器開口部がシート材によって塞がれ、該シート材の一部に潮解液を捨てる水抜き孔を設けるとともに、該水抜き孔を閉鎖シートによって塞いでなる複数の除湿器を並列させて、該除湿器群をひとまとめにして包装支持する容器包装体であって、
前記シート材によって塞がれた前記除湿器郡の前記容器開口部にわたり該容器開口部を覆う天板部と、
この天板部から折り目線を介して連設されて前記除湿器群の各容器周壁の少なくとも高さ方向上部側を覆う両側板部と、を備え、
前記天板部と前記両側板部とを連設する前記折り目線の一部に、前記除湿容器群の前記容器開口部の開口縁部に掛止させる掛止部をそれぞれ備えるとともに、前記除湿器群のそれぞれの境目には除湿器毎に前記天板部および前記両側板部を分離する分離線をそれぞれ備え、
さらに、前記除湿器毎の前記容器開口部と対応する位置で前記水抜き孔の開口部位を除く前記天板部に、通気口または通気口用の開口切断線をそれぞれ備えていることを特徴とする除湿器の容器包装体。
【請求項３】
前記両側板部は、前記容器周壁の高さ方向の全高に至る幅を有し、この両側板部から折り目線を介して連設されて前記除湿器群にわたり該除湿器群の各容器底壁を覆う両底板部をさらに備え、
かつ、前記両側板部には、該両側板部を前記天板部側と前記両底板部側とに分断する引裂き帯部が前記除湿器群の並列方向にわたり設けられていることを特徴とする請求項２に記載の除湿器の容器包装体。
【発明の詳細な説明】
【技術分野】
【０００１】
本発明は、除湿器およびその容器包装体に係り、詳しくは、空気中の湿気を潮解性除湿剤で吸湿して空間の湿度を下げ、湿度を低く保つ、押入れ、タンス、下駄箱その他の収納空間などにおいて使用される除湿器および複数の除湿器をひとまとめに並列して支持包装する容器包装体に関する。
【背景技術】
【０００２】
除湿器は、容器内に潮解性除湿剤を収容し、容器開口部がシート材に密封されて容器内に湿気が伝われないようにして工場などから流通され、消費者に店頭販売される。シート材は、二層シートからなり、一層目のシートは、湿気や空気を通すが、水は通さない透湿非透水性シート（以後、単に「透湿性シート」と言う）で、二層目のシートは、湿気や空気、そして水も通さない密封シートであり、この密封シートは、透湿性シートの上に剥離可能に貼着されるものである。
ちなみに、潮解性除湿材は、例えば、顆粒状の塩化カルシウム、塩化マグネシウム、酢酸カリウム、塩化ナトリウムなどからなり、空気中の湿気を吸湿することより水溶液へと変化されるものである。
そして、透湿性シートは、例えば、ポリオレフィン樹脂やポリアミド樹脂、ポリ塩化ビニル樹脂などに微小孔が処理されてなるものであり、容器開口部への貼着は、超音波溶着、熱板溶着、高周波溶着、熱溶着などによって開口縁部（フランジ部）に対して行われる。
一方、密封シートは、アルミシートやポリプロピレンなどのガスバリヤ性フィルムなどからなるものであり、透湿性シートの表面に剥離可能に貼着され、購入者が使用するときに、透湿性シートの表面から簡単に剥離し得るようにしている。
【０００３】
ところで、近年の住宅などでは、気密化が図られた環境が主流になってきている。つまり、冷暖房の効率化や省エネルギー、さらには騒音対策などの観点から、気密化が図られた住宅環境となり、それに伴い湿気に起因するカビの発生などが問題視され、その解決策として、空気中の湿気を潮解性除湿剤で吸湿して空間の湿度を下げ、湿度を低く保つ除湿器が広く普及している。例えば、押入れ、タンス、下駄箱その他の収納空間などにおいて、除湿器が数多く使用されるに至っている。
【０００４】
そこで、このような使用実態に鑑み、各社販売メーカーなどでは、除湿器を１個単位で流通し、販売するに加えて、複数の除湿器をひとまとめに包装した複数単位の１パックにして流通し、販売することを行っている。そして、各社販売メーカーでは、取扱い性や使用中に不具合などが生じないように配慮し、また、流通時の除湿器の保護などを踏まえた上で、複数の除湿器をひとまとめにして包装する容器包装体の開発を進め、種々の容器包装体が提案されている（特許文献１および特許文献３などを参照）。
【先行技術文献】
【特許文献】
【０００５】
【特許文献１】特許第４１７１９６３号公報
【特許文献２】特開２００２−９６８６８号公報
【特許文献３】特開２００１−２４０１１７号公報
【発明の概要】
【発明が解決しようとする課題】
【０００６】
しかしながら、特許文献１から特許文献３に記載の従来技術では、使用後、ゴミとして廃棄するときに、容器内底部側に溜まった潮解液を容器の外に排出するための水抜き孔（排水口）を備えていない。そのため、従来では、カッター、ハサミなどの切断具を用いて透湿性シートを切断するなどによって排水口を設け、潮解液を排出しなければならなかった。
また、潮解液は非常に塩分濃度が高い液体であるために、切断に使用した切断具が腐食するなどの問題が発生し、その対策が求められていた。
【０００７】
そこで、本発明は、前記課題を解消するために創案されたものであり、使用後において潮解液を捨てる水抜き孔が備えられている除湿器および複数の除湿器をひとまとめにして流通し、販売するときや購入者が押入れなどにおいて使用しているときなどにおいて、水抜き孔が不用意に傷付いたり、破損しないように保護するように改良された除湿器およびその容器包装体を提供することにある。
【課題を解決するための手段】
【０００８】
前記課題を解決するために、本発明では、容器開口部がシート材によって塞がれ、該シート材の一部に潮解液を捨てる水抜き孔を設けるとともに、該水抜き孔が閉鎖シートによって塞がれている除湿器であって、
前記シート材によって塞がれている前記容器開口部に蓋体を備えてなり、
前記蓋体は、前記容器開口部を覆う天板部と、この天板部から折り目線を介して連設されて容器周壁を覆う両側板部と、を備え、前記天板部と前記両側板部とを連設する前記折り目線の一部に、前記容器開口部の開口縁部に掛止させる掛止部をそれぞれ備えるとともに、前記水抜き孔の開口部位を除く前記天板部に、通気口または通気口用の開口切断線をそれぞれ備えていることを特徴とする。
【０００９】
このような構成によれば、容器開口部を塞ぐシート材に設けられている水抜き孔を塞ぐ閉鎖シートは、流通、販売、そして使用状態において蓋体の天板部によって覆われて保護される。つまり、水抜き孔を含めて該水抜き孔を塞ぐ閉鎖シートが傷付いたり、破損することを蓋体によって防ぐことができる。
【００１０】
また、本発明では、容器開口部がシート材によって塞がれ、該シート材の一部に潮解液を捨てる水抜き孔を設けるとともに、該水抜き孔を閉鎖シートによって塞いでなる複数の除湿器を並列させて、該除湿器群をひとまとめにして包装支持する容器包装体であって、
前記シート材によって塞がれた前記除湿器郡の前記容器開口部にわたり該容器開口部を覆う天板部と、この天板部から折り目線を介して連設されて前記除湿器群の各容器周壁の少なくとも高さ方向上部側を覆う両側板部と、を備え、前記天板部と前記両側板部とを連設する前記折り目線の一部に、前記除湿容器群の前記容器開口部の開口縁部に掛止させる掛止部をそれぞれ備えるとともに、前記除湿器群のそれぞれの境目には除湿器毎に前記天板部および前記両側板部を分離する分離線をそれぞれ備え、さらに、前記除湿器毎の前記容器開口部と対応する位置で前記水抜き孔の開口部位を除く前記天板部に、通気口または通気口用の開口切断線をそれぞれ備えていることを特徴とする。
【００１１】
ここで、前記両側板部が、前記容器周壁の高さ方向の全高に至る幅を有し、この両側板部から折り目線を介して連設されて前記除湿器群にわたり該除湿器群の各容器底壁を覆う両底板部をさらに備え、かつ、前記両側板部には、該両側板部を前記天板部側と前記両底板部側とに分断する引裂き部が前記除湿器群の並列方向にわたり設けられていることが好適なものとなる。
【００１２】
このような構成によれば、ひとまとめに包装支持されている除湿器群のそれぞれの容器開口部のシート材に設けられている水抜き孔を含めた該水抜き孔を塞ぐ閉鎖シートは、流通、販売のときに容器包装体の天板部によって覆われて保護される。そして、この保護は、除湿器毎に分離されて使用されるときにおいても継続される。つまり、流通、販売、そして使用しているときに、水抜き孔を含めた閉鎖シートが傷付いたり、破損することを容器包装体によって防ぐ。
【発明の効果】
【００１３】
本発明の除湿器およびその容器包装体は、以上のように構成されていることで、容器開口部を塞ぐシート材に設けられている水抜き孔を含めて水抜き孔を塞ぐ閉鎖シートが、流通、販売、そして購入者が押入れなどにおいて使用しているときなどにおいて不用意に傷付いたり、破損しないように天板部によって保護することができる。
これにより、購入者が使用中に除湿器を誤って倒すなどの不具合が生じても、容器内の潮解液が外部に流出することはなく、使用後においてゴミとして廃棄するときには閉鎖シートを剥がし、容器内の潮解液を水抜き孔から排出させて捨てることができる。
【００１４】
したがって、本発明によれば、従来のように、カッター、ハサミなどの切断具を用いて透湿非透水性シートを切断するなどの面倒で、手間の掛かる作業が解消されるために、消費者に対するサービスの向上を期待することができる。つまり、消費者は、使用後、手間を掛けずに簡単に廃棄することができ、しかも、切削具が腐食するなどの問題をも解決することができるなどの取扱い性に優れた除湿器およびその容器包装体を提供することができる。
【図面の簡単な説明】
【００１５】
【図１】本実施形態に係る本発明の除湿器を示す斜視図である。
【図２】同除湿器の縦断面図である。
【図３】同除湿器の容器本体を示し、（ａ）は、容器開口部の斜め上方から見たときの斜視図であり、（ｂ）は、受け皿を内在させた状態を示す同斜視図である。
【図４】受け皿を示す斜視図である。
【図５】蓋体の展開説明図である。
【図６】購入者が使用するときに、蓋体を取り外し、密封シートを取り剥がす状態を示す斜視図である。
【図７】タンスなどにおいての使用状態を示す斜視図である。
【図８】水抜き孔から潮解液を排出している状態を示す斜視図である。
【図９】第１の実施形態に係る容器包装体による複数除湿器の包装支持形態を示す斜視図である。
【図１０】同容器包装体の展開説明図である。
【図１１】第２の実施形態に係る容器包装体による複数除湿器の包装支持形態を示す斜視図である。
【図１２】同包装支持形態の縦断面図である。
【図１３】同容器包装体の展開説明図である。
【発明を実施するための形態】
【００１６】
以下、本発明の実施形態について、適宜図面を参照しながら詳細に説明する。
図１は、本実施形態に係る本発明の除湿器を示す斜視図であり、図２は、同縦断面図である。
【００１７】
≪除湿器の構成≫
除湿器Ａは、図１および図２に示すように、上面を開口した容器本体１と、この容器本体１内の中高部位に内在される簀の子状の受け皿２と、容器開口部３を塞ぐ透湿非透水性シート（以後、単に「透湿性シート」と称する）４および密封シート５、そして容器開口部３に着脱自在に装着される蓋体６とを備えて構成されている。
そして、このように構成されている除湿器Ａは、容器本体１内の受け皿２の上に潮解性除湿剤７が収容されており、消費者(使用者)が使用するときに、後記の図６および図７に示すように、密封シート５を透湿性シート４の上から取り剥がすことで、湿気が透湿性シート４を通過して容器本体１内に流入が可能となり、潮解性除湿剤７に吸湿されるようになっている。
【００１８】
≪容器本体の構成≫
図３は、容器本体を示す斜視図である。
容器本体１は、透明または半透明などの透視可能な合成樹脂材料などによって平面視で略矩形形状に形成されている。
この容器本体１は、図３に示すように、容器開口部３に外向きの平坦状に形成されている開口両長辺縁部（両長辺フランジ部）３ａ，３ｂのうち、一方の開口長辺縁部３ａ側に、容器本体１の内側に向けて所望の凹設幅にて凹設させた内向き凹設縁部３ａ−１を備えている。そして、この内向き凹設縁部３ａ−１の凹設幅方向の両側には容器底壁１ａに至る高さ方向の屈曲部９を備えて、この屈曲部９を介して開口両短辺縁部（開口短辺フランジ部）３ｃに平面視で略円弧形状に連設させてなる。
【００１９】
他方の開口長辺縁部３ｂ側には、内向き凹設縁部３ａ−１と対応させて容器本体１の外側に向けて凸設させた外向き凸設縁部３ｂ−１を備え、この外向き凸設縁部３ｂ−１の凸設幅方向の両側には容器底壁１ａに至る高さ方向の屈曲部１０を備えて、この屈曲部１０を介して開口両短辺縁部３ｃに平面視で略円弧形状に連設させてなる。
つまり、内向き凹設縁部３ａ−１と外向き凸設縁部３ｂ−１とは、平面視で略同じ形状で、開口両長辺縁部３ａ，３ｂに対して非対称形に形成されている。
【００２０】
また、容器本体１は、図３に示すように、容器周壁１ｂの内側における要所数ヶ所（計８ヶ所）に補強縦リブ１１が備えられており、この各補強縦リブ１１の上端に受け皿２が係止された状態で載置されるようになっている。
【００２１】
≪受け皿の構成≫
図４は、受け皿を示す斜視図である。ここでは、図３を適宜参照しながら説明する。
受け皿２は、合成樹脂材料などによって容器本体１内の中高部位に位置する平面視形状に形成されている。そして、受け皿２は、図３の（ｂ）および図４に示すように、外周輪郭に沿う平坦部２ａと、その内側に一段高く形成されている段部２ｂと、さらにその内側に略山形形状に形成されている中央部２ｃとから形成され、それら各部には、長孔形状の滴下孔１２が多数設けられている。
【００２２】
≪透湿性シートおよび密封シートの説明≫
ここでは、図１および図２を適宜参照しながら説明する
透湿性シート４は、湿気や空気を通すが、水は通さない、例えば、ポリオレフィン樹脂やポリアミド樹脂、ポリ塩化ビニル樹脂などに微小孔が処理されてなるものであり、容器開口部３の開口長辺・短辺両縁部３ａ，３ｂ，３ｃに熱溶着などによって溶着されて取り付けられるようになっている。
そして、この透湿性シート４には、図１および図２に示すように、受け皿２によって区画された容器本体１の下部空間Ｍ側に溜まった潮解液Ｗを排出するための水抜き孔１３を備えている。
【００２３】
密封シート５は、湿気や空気、そして水も通さない、例えば、アルミシートやポリプロピレンなどのガスバリヤ性フィルムなどからなるものであり、透湿性シート４に剥離可能に貼着され、購入者が使用するときに、透湿性シート４の表面から簡単に取り剥がすことができるようになっている。
【００２４】
水抜き孔１３は、透湿性シート４に平面視で略Ｕ字形状に切込みが入れられることで設けられている。そして、この水抜き孔１３は、被透水性シートなどからなる閉鎖シート１４によって塞がれている。
これにより、潮解性除湿剤７の全てが潮解液Ｗとなって受け皿２の滴下孔１２から容器本体１の下部空間Ｍ側に溜まり、除湿器Ａをゴミとして廃棄するときに、後記の図８に示すように、閉鎖シート１４を剥がし、容器本体１を傾けることで、水抜き孔１３から潮解液Ｗを排出することができるようにしている。
【００２５】
≪蓋体の構成≫
図５は、蓋体の展開説明図である。ここでは、図１および図２を適宜参照しながら説明する。
蓋体６は、厚紙などのブランクシートを用いた打抜き加工によって形成されるものであり、図１および図２、図５に示すように、透湿性シート４および密封シート５によって塞がれる容器開口部３の全面を覆う程度の大きさを有する略矩形形状の天板部６ａと、この天板部６ａに折り目線１５を介してそれぞれ連設されて容器本体１の容器周壁１ｂの上部側を覆う両側板部６ｂとから形成されている。
【００２６】
また、蓋体６は、天板部６ａと両側板部６ｂとを連設する折り目線１５の一部（天板部６ａの短辺幅方向中央部位）に、容器開口部３の開口両短辺縁部３ｃに係脱自在に掛止させる掛止部１６をそれぞれ備えている。これにより、掛止部１６を、図２に示すように、開口両短辺縁部３ｃに掛止させたり、その掛止状態を解除させることで、蓋体６を容器開口部３に係脱自在に装着し得るようにしている。
【００２７】
そして、このように形成されている蓋体６の天板部６ａには、購入者が使用するときに開口する通気口用の開口切断線８ａが設けられている。
【００２８】
通気口用の開口切断線８ａは、図１および図２に示すように、透湿性シート４に設けられて閉鎖シート１４によって塞がれている水抜き孔１３の開口部位および閉鎖シート１４が貼られている範囲を除く天板部６ａにおいて、適宜形状の通気口８が開口されるようにミシン目などを施すことで形成されている。
これにより、除湿器Ａの製造工場からの流通、店舗における販売（陳列）、そして購入者が押入れなどにおいて使用しているときに、水抜き孔１３を含めてこの水抜き孔１３を塞ぐ閉鎖シート１４が傷付いたり、破損することを蓋体６の天板部６ａによって保護し、防ぐようにしている。
【００２９】
［作用説明］
つぎに、以上のように構成されている本実施形態に係る除湿器Ａの使い方について簡単に説明する。
図６は、購入者が使用するときに、蓋体を取り外し、密封シートを取り剥がす状態を示す斜視図であり、図７は、タンスなどにおいての使用状態を示す斜視図であり、図８は、水抜き孔から潮解液を排出しているときの状態を示す斜視図である。
まず、購入者は、タンスなどにおいて使用するときに、図６に示すように、蓋体６を容器本体１から取り外す。つぎに、開口切断線８ａに沿って通気口８の開口面部８ｂを天板部６ａから切り離し、天板部６ａに通気口８を開口する。最後に、密封シート５を透湿性シート４の上から取り剥がした後に、図７に示すように、蓋体６を容器開口部３に装着する。
これにより、湿気が透湿性シート４を通過して容器本体１内への流入が可能となり、また、水抜き孔１３を塞ぐ閉鎖シート１４は、天板部６ａによって覆われて傷付いたり、破損しないように保護される。
【００３０】
そして、湿気の吸湿によって受け皿２上の潮解性除湿剤７の全てが容器本体１の下部空間Ｍに潮解液Ｗとなって滴下し、除湿器Ａをゴミとして廃棄するときには、蓋体６を容器本体１から取り外し、水抜き孔１３を塞いでいる閉鎖シート１４を透湿性シート４から剥がして、図８に示すように、容器本体１を傾けて容器本体１内の潮解液Ｗを水抜き孔１３から排出することができる。
【００３１】
つぎに、以上のように構成されている除湿器Ａ複数をひとまとめにして包装支持する第１の実施形態に係る本発明の容器包装体Ｂについて説明する。ここでは、前記の図２を適宜参照しながら説明する
図９は、第１の実施形態に係る容器包装体による複数除湿器の包装支持形態を示す斜視図であり、図１０は、容器包装体の展開説明図である。
この実施形態では、蓋体６を除く除湿器Ａの基本構成は、前記の実施形態と基本的に同じ構成であることから同じ構成要素に同じ符合を付することが重複説明は省略する。
【００３２】
≪容器包装体の構成≫
容器包装体Ｂは、前記した蓋体６と同じく、厚紙などのブランクシートを用いた打抜き加工によって形成される。
この容器包装体Ｂは、図９および図１０に示すように、一列に並列されている複数（図では３個）の除湿器Ａ群の容器開口部３にわたり該容器開口部３を覆う略長方形状の天板部Ｂ１を備え、この天板部Ｂ１に折り目線１７を介して連設されて除湿器Ａの各容器周壁１ｂの上部側を覆う両側板部Ｂ２を備えて構成されている。
【００３３】
そして、容器包装体Ｂは、購入者が使用するときに、除湿器Ａ群をひとまとめに包装支持する天板部Ｂ１と両側板部Ｂ２を、除湿器Ａ毎に切り離し可能とする分離線１８を、除湿器Ａ群のそれぞれの境目部位においてそれぞれ備えている。
【００３４】
分離線１８は、流通や販売中の陳列状態においては不用意に切れることがなく、購入者が使用するときには簡易に切り離分離し得るような、例えば、ミシン目やその他の破断線によって形成されている。
【００３５】
また、容器包装体Ｂは、除湿器Ａ毎に包装支持する天板部Ｂ１と両側板部Ｂ２とを連設する折り目線１７の一部（分離線１８で分離される天板部Ｂ１の幅方向中央部位）に、除湿器Ａ毎の容器開口部３の開口両短辺縁部３ｃに係脱自在に掛止させる掛止部１９をそれぞれ備えている。これにより、掛止部１９を、前記の図２に示すように、開口両短辺縁部３ｃに掛止させたり、その掛止状態を解除させることで、除湿器Ａ毎に天板部Ｂ１および両側板部Ｂ２を係脱自在に装着し得るようにしている。
【００３６】
そして、このように形成されている容器包装体Ｂの分離線１８を介して連設している除湿器Ａ毎の天板部Ｂ１には、前記の実施例詳述のように、購入者が使用するときに開口する通気口用の開口切断線８ａが設けられている。
この通気口用の開口切断線８ａは、前記の実施形態詳述と基本的に同じ構成であることから同じ構成部分に同じ符合を付することで重複説明は省略する。
【００３７】
［作用説明］
ここでは、前記の図１、図２、図６〜図９を適宜参照しながら説明する。
第１の実施形態に係る容器包装体Ｂによれば、並列されている３個の除湿器Ａ毎の容器本体１の開口両短辺縁３ｃを、前記の図２に示すように、容器包装体Ｂのそれぞれの掛止部１６に掛止させる。これにより、並列する除湿器Ａ群を、図９に示すように、ひとまとめにして、なおかつ、除湿器Ａ毎に設けられている水抜き孔１３を天板部Ｂ１で覆う支持形態で包装することができる。
そして、購入者が使用するときには、分離線１８から除湿器Ａ毎に容器包装体Ｂの天板部Ｂ１および両側板部Ｂ２を切り離すことで、図１に示すように、除湿器Ａ毎の包装形態に分離することができる。つまり、分離線１８によって分離された容器包装体Ｂの天板部Ｂ１および両側板部Ｂ２は、前記の実施形態の蓋体６として利用され、図６に示すように、蓋体６を容器本体１から取り外し、開口切断線８ａに沿って通気口８の開口面部８ｂを天板部Ｂ１から切り離して天板部Ｂ１に通気口８を開口する。ついで、密封シート５を透湿性シート４の上から取り剥がした後に、図７に示すように、蓋体６を容器開口部３に装着する。
これにより、湿気が透湿性シート４を通過して容器本体１内への流入が可能となり、また、水抜き孔１３を塞ぐ閉鎖シート１４は、天板部Ｂ１によって覆われて傷付いたり、破損しないように保護される。
【００３８】
そして、湿気の吸湿によって受け皿２上の潮解性除湿剤７の全てが容器本体１の下部空間Ｍに潮解液Ｗとなって滴下し、除湿器Ａをゴミとして廃棄するときには、図８に示すように、水抜き孔１３を塞いでいる閉鎖シート１４を剥がして容器本体１を傾けることで、容器本体１内の潮解液Ｗを水抜き孔１３から排出することができる。
【００３９】
つぎに、第２の実施形態に係る本発明の容器包装体Ｃについて説明する。
図１１は、第２の実施形態に係る容器包装体による複数除湿器の包装支持形態を示す斜視図であり、図１２は、同縦断面図であり、図１３は、同容器包装体の展開説明図である。
この第２の実施形態においては、図１１および図１３に示すように、容器包装体Ｃを構成する天板部Ｃ１から折り目線２０を介して連設される両側板部Ｃ２を、容器本体１の容器周壁１ｂの高さ方向の全高に至る幅とし、この両側板部Ｃ２から折り目線２１を介して連設されて並列する除湿器Ａ群にわたり該除湿器Ａ群の各容器底壁１ａを覆う両底板部Ｃ３をさらに備えている構成を採用しており、その以外の構成要素においては前記の実施形態と基本的に同じことから同じ構成要素に同じ符合を付することで重複説明は省略する。
【００４０】
≪容器包装体の構成≫
すなわち、容器包装体Ｃは、厚紙などのブランクシートを用いた打抜き加工によって形成されるものであり、図１１から図１３に示すように、一列に並列されている複数（図では３個）の除湿器Ａ群の各容器開口部３にわたり該容器開口部３を覆う略長方形状の天板部Ｃ１を備え、この天板部Ｃ１に折り目線２０を介して連設されて除湿器Ａの各容器周壁１ｂを覆う両側板部Ｃ２を備え、さらにこの両側板部Ｃ２に折り目線２１を介して連設されて除湿器Ａの各容器底壁１ａを覆う両底板部Ｃ３を備えて構成されている。
【００４１】
そして、容器包装体Ｃは、購入者が使用するときに、除湿器Ａ群をひとまとめに包装支持する天板部Ｃ１と両側板部Ｃ２、そして両底板部Ｃ３を、除湿器Ａ毎に切り離し分離を可能とする分離線２２を、除湿器Ａ群のそれぞれの境目部位においてそれぞれ備えている。さらに、容器包装体Ｃは、両側板部Ｃ２を、天板部Ｃ１側と両底板部Ｃ３側とに分断するための引裂き部２３を、除湿器Ａ群の並列支持方向にわたり備えている。
【００４２】
切断線２２は、前記した実施形態のように、ミシン目やその他の破断線によって形成されるものであるが、図１１および図１３に示すように、天板部Ｃ１から両側板部Ｃ２の引裂き部２３に至る範囲または引裂き部２３を通過して両底板部Ｃ３に至るように形成されている。
引裂き部２３は、例えば、ミシン目やその他の破断線を適宜の間隔をおいて平行に施すなどによって形成されている。
【００４３】
［作用説明］
ここでは、前記の図６から図８、そして図１１および図１２を適宜参照しながら説明する。
第２の実施形態に係る容器包装体Ｃによれば、並列されている３個の除湿器Ａ毎の容器本体１の開口両短辺縁３ｃを、図１２に示すように、容器包装体Ｃのそれぞれの掛止部１９に掛止させるとともに、両底板部Ｃ３を並列する除湿器Ａ群の容器底壁１ａを覆うように巻き込み、両底板部Ｃ３の重なり合う部分を接着剤などによって連結することで、並列する除湿器Ａ郡を、図１１に示すように、ひとまとめにして、なおかつ、除湿器Ａ毎に設けられている水抜き孔１３を天板部Ｃ１で覆う支持形態として包装することができる。
そして、購入者が使用するときには、分離線２２から除湿器Ａ毎に容器包装体Ｃの天板部Ｃ１および両側板部Ｃ２、そして底板部Ｃ３を切り離すことで、除湿器Ａ毎の包装形態に分離することができる。
つぎに、引裂き部２３によって両側板部Ｃ２を天板部Ｃ１側と両底板部Ｃ３側とに引裂き分離する。つまり、分離線２２と引裂き部２３によって分離された容器包装体Ｃの天板部Ｃ１および両側板部Ｃ２は、前記の実施形態の蓋体６として利用され、図６に示すように、蓋体６を容器本体１から取り外し、通気口用の開口切断線８ａに沿って通気口８の開口面部８ｂを天板部Ｃ１から切り離し、天板部Ｃ１に通気口８を開口する。そして、密封シート５を透湿性シート４の上から取り剥がした後に、図７に示すように、蓋体６を容器開口部３に装着する。
これにより、湿気が透湿性シート４を通過して容器本体１内への流入が可能となり、また、水抜き孔１３を塞ぐ閉鎖シート１４は、天板部Ｃ１によって覆われて傷付いたり、破損しないように保護される。
【００４４】
そして、湿気の吸湿によって受け皿２上の潮解性除湿剤７の全てが容器本体１の下部空間Ｍに潮解液Ｗとなって滴下し、除湿器Ａをゴミとして廃棄するときには、図８に示すように、水抜き孔１３を塞いでいる閉鎖シート１４を剥がして容器本体１を傾けることで、容器本体1内の潮解液Ｗを水抜き孔１３から排出することができる。
【００４５】
なお、本発明の実施形態の具体的な構成は、前記した実施形態に限られるものではなく、請求項１から請求項３に記載の本発明の要旨を逸脱しない範囲で設計変更などがあっても本発明に含まれるものである。
例えば、天板部６ａ，Ｂ１，Ｃ１に開口される通気口８の開口形状は、水抜き孔１３の開口部位を除いて四角形状、丸型形状、或いは独立させた複数の長孔形状など任意に設けることができる。
【００４６】
また、分離線１８，２２を、引裂き部２３と同じ形態にて形成することができる。このようにすることで、購入者が除湿器Ａ毎に容器包装体Ｂ，Ｃの天板部Ｂ１，Ｃ１および両側板部Ｂ２，Ｃ２、さらに両底板部Ｃ３を切り離し分離するときに、その分離作業をより速やかに行うことができる。
【００４７】
また、通気口８は、開口切断線８ａなどを施すことなく、天板部６ａ，Ｂ１，Ｃ１に直接開口させた状態で、消費者に販売されるようにすることができる。
【符号の説明】
【００４８】
Ａ      除湿器
１      容器本体
１ａ    容器底壁
１ｂ    容器周壁
２      受け皿
３      容器開口部
４      透湿非透水性シート（シート材）
５      密封シート（シート材）
６      蓋体
６ａ    天板部
６ｂ    側板部
７      潮解性除湿剤
８      通気口
８ａ    開口切断線
８ｂ    開口面部
１３    水抜き孔
１４    閉鎖シート
Ｂ，Ｃ  容器包装体
Ｂ１，Ｃ１  天板部
Ｂ２，Ｃ２  側板部
Ｃ３    底板部
１７，２０，２１  折り目線
１８，２２  分離線
１９    掛止部
２３    引裂き部
Ｗ      潮解液
【図１】
2010274985.tif 000003
【図２】
2010274985.tif 000004
【図３】
2010274985.tif 000005
【図４】
2010274985.tif 000006
【図５】
2010274985.tif 000007
【図６】
2010274985.tif 000008
【図７】
2010274985.tif 000009
【図８】
2010274985.tif 000010
【図９】
2010274985.tif 000011
【図１０】
2010274985.tif 000012
【図１１】
2010274985.tif 000013
【図１２】
2010274985.tif 000014
【図１３】
2010274985.tif 000015